(57)【特許請求の範囲】
【請求項１】
遊技盤に回転可能に取り付けられた羽根本体と、この羽根本体の回転中心軸上に配設された光源と、この光源の周囲を旋回可能な反射板と、これら光源および反射板を収納する光透過性材料からなるカバーとを備え、前記羽根本体に少なくとも前面側を開口する凹部が設けられ、この凹部内に前記カバーが配置されていることを特徴とするパチンコ機の風車。
【請求項２】
請求項１の記載において、前記羽根本体と前記反射板とが一体化されていることを特徴とするパチンコ機の風車。
【請求項３】
請求項１または２の記載において、前記反射板が中空軸を有する回転体に設けられており、前記光源が前記中空軸を挿通して前記カバーの内部に配置されていることを特徴とするパチンコ機の風車。
【発明の詳細な説明】
【技術分野】
【０００１】
本発明は、遊技盤内を流下する遊技球によって回転駆動されるパチンコ機の風車に係り、特に、光源から発せられる光を利用した電飾風車と呼ばれるパチンコ機の風車に関するものである。
【背景技術】
【０００２】
通常、パチンコ機の遊技盤には回転可能な風車が配設されており、この風車によって遊技球の流下方向が任意方向へ振り分けられるようになっている。従来より、このような風車の一例として、光透過性材料で形成された羽根本体の背面側に円椀形状の回転体を取り付け、この回転体の内部に発光ランプ（光源）を配置すると共に、回転体の内周面を反射構造とした電飾風車が知られている（例えば、特許文献１参照）。このように構成された電飾風車においては、発光ランプから発せられた光が回転体の内周面で反射・拡散されて羽根本体の背面に照射されるため、羽根本体全体を一様に明るく照明することができる。
【特許文献１】特開２００１−３５３２７５号公報
【発明の開示】
【発明が解決しようとする課題】
【０００３】
しかしながら、前述した従来の電飾風車では、背面側からの入射光によって羽根本体全体を一様に照明するように構成されているため、例えば遊技盤内に配置された役物やガラス枠の周囲に施された他の電飾に比べると、風車の照明が視覚的に目立ちにくいという難点があった。また、羽根本体の背面側に内周面を反射構造とした円椀形状の回転体を積層・一体化する必要があるため、風車全体が回転軸方向へ大型化してしまうという問題もあった。
【０００４】
本発明は、このような従来技術の実情に鑑みてなされたもので、その目的は、視覚的に目立ち易く小型化に好適なパチンコ機の風車を提供することにある。
【課題を解決するための手段】
【０００５】
上記の目的を達成するために、本発明によるパチンコ機の風車は、遊技盤に回転可能に取り付けられた羽根本体と、この羽根本体の回転中心軸上に配設された光源と、この光源の周囲を旋回可能な反射板と、これら光源および反射板を収納する光透過性材料からなるカバーとを備え、前記羽根本体に少なくとも前面側を開口する凹部が設けられ、この凹部内に前記カバーが配置されている構成とした。
【０００６】
このように構成されたパチンコ機の風車では、羽根本体の凹部内に光源の光を周囲に旋回させる回転灯が配設されているため、羽根本体の前面から放射される鮮やかな拡散光によって視覚的に目立ち易い風車を実現できると共に、回転軸方向の寸法が大型化するのを抑制して小型化に好適な風車を実現できる。
【０００７】
上記の構成において、反射板を旋回させる駆動源として専用のモータを用いることも可能であるが、羽根本体と反射板とが一体化されている構成にすると、羽根本体の回転に伴って反射板が一体的に旋回するため、羽根本体の回転速度や回転量に応じて光の拡散状態に変化を持たせることができると共に、駆動源としてのモータを省略して単純構造の風車を実現することができて好ましい。
【０００８】
また、上記の構成において、反射板が中空軸を有する回転体に設けられており、光源がこの中空軸を挿通してカバーの内部に配置されている構成にすると、光源の周囲に反射板と羽根本体を無理なく配置することができて好ましい。
【発明の効果】
【０００９】
本発明によるパチンコ機の風車は、羽根本体の凹部内に光源の光を周囲に旋回させる回転灯が配設されているため、羽根本体の前面から放射される鮮やかな拡散光によって視覚的に目立ち易い風車を実現できると共に、回転軸方向の寸法が大型化するのを抑制して小型化に好適な風車を実現できる。
【発明を実施するための最良の形態】
【００１０】
発明の実施の形態について図面を参照して説明すると、図１は本発明の実施形態例に係るパチンコ機の正面図、図２は該パチンコ機に備えられる風車の正面図、図３は該風車の斜視図、図４は該風車の取り付け状態を示す断面図である。
【００１１】
図１に示すように、本実施形態に係るパチンコ機は、遊技場の島設備に設置される機枠１と、機枠１に扉状に開閉自在に取り付けられた前面枠２と、前面枠２に収納保持された遊技盤３と、前面枠２の前面に扉状に開閉自在に取り付けられたガラス枠４と、前面枠２の下方に配設された前面ボード５と、前面ボード５に取り付けられた発射ハンドル６等を具備している。ガラス枠４には遊技盤３の前面を覆う透明板４ａ（図４参照）が取り付けられており、図示省略されているが、ガラス枠４の周囲には電飾用ランプが内蔵されている。
【００１２】
遊技盤３はガイドレール７等で囲まれた遊技領域８を有しており、遊技者の手動操作によって発射ハンドル６が任意角度に回転されると、図示せぬ発射装置から遊技領域８に向けて遊技球が打ち出されるようになっている。遊技領域８には後述する風車９と多数の障害釘（図示省略）が設けられており、これら風車９や障害釘によって遊技球の流下方向および流下速度に変化を与えるようになっている。また、遊技領域８の中央付近には液晶パネル（ＬＣＤ）等からなる図柄表示装置１０が配設されており、図柄表示装置１０の周囲には電飾用ランプ（図示省略）を内蔵した装飾部材１１が設けられている。さらに、遊技領域８の中央部下方には、可動片を有する始動入賞口１２やアタッカと呼ばれる大入賞口１３や複数の一般入賞口１４等が配設されており、いずれの入賞口にも入賞しなかった遊技球は遊技領域８の最下端部に設けられたアウト口１５から遊技盤３の裏面側に排出されるようになっている。
【００１３】
図２〜図４に示すように、前記風車９は、透明板４ａと遊技盤３で挟まれた空間Ｓ内に配置された羽根本体１６と、この羽根本体１６を遊技盤３に対して回転可能に支持する回転体１７と、この回転体１７に一体的に設けられた反射板１８と、ランプやＬＥＤ等からなる光源１９と、これら反射板１８および光源１９を収納するカバー２０とによって構成されている。
【００１４】
羽根本体１６は、中空構造の筒状部１６ａと、この筒状部１６ａの外周面から外方へ放射状に突出する複数の羽根部１６ｂとを有しており、これら筒状部１６ａと各羽根部１６ｂは無色透明または有色透明な合成樹脂で一体成形されている。筒状部１６ａの内部は凹部１６ｃとなっており、この凹部１６ｃの前面側と後面側は開口している。各羽根部１６ｂは筒状部１６ａの周方向に等間隔を保って配列されており、本実施形態の場合は４枚の羽根部１６ｂを９０度の等間隔で配列してあるが、３枚の羽根部１６ｂを１２０度の等間隔で配列する等、羽根部１６ｂの枚数を４つ以外に設定することも可能である。
【００１５】
回転体１７は、凹部１６ｃの後面側を塞ぐ円板状の基部１７ａと、基部１７ａの中央から後方へ突出する中空軸１７ｂと、基部１７ａの外周縁から前方へ突出する支持部１７ｃとを有しており、これら基部１７ａと中空軸１７ｂおよび支持部１７ｃは合成樹脂により一体成形されている。中空軸１７ｂは遊技盤３の貫通孔３ａに挿通されており、この中空軸１７ｂの外周面に係止したワッシャ２１を遊技盤３の裏面に当接させることにより、回転体１７は遊技盤３に抜け止めされた状態で回転可能に支持されている。なお、遊技盤３の貫通孔３ａに図示せぬ軸受を圧入し、この軸受に中空軸１７ｂを挿通するようにしても良い。支持部１７ｃの外周面には羽根本体１６の筒状部１６ａが圧入や接着等で固定されており、これにより羽根本体１６は回転体１７を介して遊技盤３に回転可能に取り付けられている。
【００１６】
反射板１８は回転体１７の基部１７ａから前方へ突出しており、全体的に凹状の放物面となるように湾曲形成されている。本実施形態の場合、反射板１８と回転体１７は合成樹脂により一体成形されているが、別途形成した反射板１８を回転体１７の基部１７ａに後付けするようにしても良い。反射板１８の凹状に湾曲した内面には例えば光反射性に優れたメッキが施されており、当該湾曲面が反射面１８ａとなっている。
【００１７】
光源１９は反射板１８の内側に配置されており、回転体１７の回転に伴って反射板１８が光源１９の周囲を旋回するようになっている。この光源１９は回転体１７の中空軸１７ｂを挿通して遊技盤３の裏面側に配設された回路基板２２上に搭載されており、このように羽根本体１６と回転体１７の回転中心軸Ｌを通る直線上に光源１９が配設されているため、光源１９が羽根本体１６と回転体１７の回転を妨げないようになっている。なお、光源１９は図示せぬ制御部からの電力供給によって点灯動作され、遊技中に例えば大当たりが確定したとき等の特定の条件下になると、制御部から光源１９に電力が供給されるようになっている。
【００１８】
カバー２０は無色透明または有色透明な光透過性材料（例えばガラスや合成樹脂）からなり、全体的に円椀状に形成されている。このカバー２０は羽根本体１６の凹部１６ｃ内に収納されており、凹部１６ｃの内部に配置された反射板１８と光源１９はカバー２０によって覆われている。カバー２０は支持部１７ｃの内周面に圧入や接着等で固定されており、これにより羽根本体１６と回転体１７およびカバー２０の三者は一体的に回転するようになっている。なお、これら反射板１８と光源１９およびカバー２０によって回転灯が構成されており、前記風車９は羽根本体１６の中央に回転灯を配置した電飾風車として構成されている。
【００１９】
このように構成された本実施形態例に係るパチンコ機の風車９では、遊技盤３の遊技領域８を流下する遊技球が羽根本体１６の羽根部１６ｂに接触すると、羽根本体１６と回転体１７およびカバー２０の三者が中空軸１７ｂを中心に回転し、それに伴って回転体１７に一体化された反射板１８が光源１９の周囲を旋回する。そして、かかる風車９の回転中に光源１９が点灯すると、光源１９から発せられた光がその周囲を旋回する反射板１８の反射面１８ａで反射・拡散されるため、光源１９からの拡散光が羽根本体１６とカバー２０を通って風車９の外部へ放射される。したがって、遊技者は風車９の中央の回転灯から放射される鮮やかな拡散光を目視することになり、ガラス枠４や装飾部材１１等に内蔵された電飾用ランプに比べても非常に目立ち易い風車９を実現することができ、光源１９の点灯タイミングと相俟って演出による期待感を高めることができる。しかも、拡散光を放射する回転灯が羽根本体１６の凹部１６ｃ内に配置されているため、この風車９は回転軸方向の寸法が徒に大型化するのを抑制でき、透明板４ａと遊技盤３で挟まれた限られた空間Ｓ内に配置可能な小型の風車９を実現することができる。
【００２０】
また、本実施形態例に係るパチンコ機の風車９では、羽根本体１６と反射板１８が回転体１７を介して一体化されており、羽根本体１６の回転に伴って反射板１８が光源１９の周囲を旋回するように構成されているため、遊技球に接触したときの羽根本体１６の回転速度や回転量に応じて回転灯から放射される拡散光の方向等に変化を持たせることができると共に、反射板１８を旋回させる専用のモータを省略して単純構造の風車９を実現することができる。しかも、この反射板１８は中空軸１７ｂを有する回転体１７に一体的に設けられており、カバー２０の内部に配置した光源１９をこの中空軸１７ｂに挿通させることにより、光源１９が遊技盤３の裏面側に配置した回路基板２２と接続されるように構成したので、光源１９の周囲に反射板１８と羽根本体１６を無理なく配置することができ、この点からも小型化に好適な風車９を実現することができる。
【００２１】
なお、上記実施形態例では、羽根本体１６に中空構造の筒状部１６ａを形成し、この筒状部１６ａで囲まれた凹部１６ｃの内部に回転灯の構成部材であるカバー２０を配置した場合について説明したが、図５の変形例に示すように、羽根本体１６から筒状部１６ａを省略し、複数の羽根部１６ｂで囲まれた空所内にカバー２０を配置しても良い。この場合、カバー２０が配置される空所は前面と側面の大部分を開口した凹部となるため、羽根本体１６を不透明な合成樹脂で形成したとしても、回転灯から発せられる拡散光をカバー２０のほぼ全周に亘って外方へ放射させることができる。
【００２２】
また、上記実施形態例では、光源１９が制御部からの電力供給によって点灯動作される場合について説明したが、風車９の回転によって図示せぬダイナモ（発電機）を動作させ、このダイナモからの電力供給によって光源１９を点灯動作させるようにしても良い。このように構成すると、遊技球の接触によって風車９が回転したときだけ、回転灯から拡散光を放射させることができる。
【００２３】
また、上記実施形態例において、風車９の回転をフォトセンサ等の検知センサによって検出し、この検知センサの検出信号に基づいて報知音を発生するようにしても良い。このように構成すると、風車９の回転灯による視覚的効果と報知音による聴覚的効果との両方で演出による期待感が著しく高められ、興趣性に優れたパチンコ機を実現することができる。
【図面の簡単な説明】
【００２４】
【図１】本発明の実施形態例に係るパチンコ機の正面図である。
【図２】該パチンコ機に備えられる風車の正面図である。
【図３】該風車の斜視図である。
【図４】該風車の取り付け状態を示す断面図である。
【図５】本発明の他の実施形態例に係る風車の斜視図である。
【符号の説明】
【００２５】
１  機枠
２  前面枠
３  遊技盤
４  ガラス枠
４ａ  透明板
５  前面ボード
６  発射ハンドル
８  遊技領域
９  風車
１０  図柄表示装置
１１  装飾部材
１６  羽根本体
１６ａ  筒状部
１６ｂ  羽根部
１６ｃ  凹部
１７  回転体
１７ａ  基部
１７ｂ  中空軸
１７ｃ  支持部
１８  反射板
１８ａ  反射面
１９  光源
２０  カバー
２１  ワッシャ
２２  回路基板
【図１】
0005001208.tif 000002
【図２】
0005001208.tif 000003
【図３】
0005001208.tif 000004
【図４】
0005001208.tif 000005
【図５】
0005001208.tif 000006